(57)【要約】【課題】照明接続用のソケットの位置を調整する。【解決手段】照明を装着する接続端子を有するソケット１と、第１穴部２１を有するとともに、ソケット１を固定する第１板状部２と、第２穴部３１を有する第１領域３３と、第３穴部３２を有するとともに第１領域３３と垂直な方向の第２領域３４とを有するＬ字状の第２板状部３と、第１穴部２１と第２穴部３１とを貫通し、第１板状部２と第２板状部３とを結合する第１結合部４と、を備える。【選択図】図１
2014137855.tif 000002
【特許請求の範囲】
【請求項１】
照明装置に照明を固定する照明固定装置であって、
照明を接続する接続端子を有するソケットと、
第１穴部を有するとともに、前記ソケットを固定する第１板状部と、
第２穴部を有する第１領域と、第３穴部を有しかつ前記第１領域と垂直な方向の第２領域とを有する第２板状部と、
前記第１穴部と前記第２穴部とを貫通し、前記第１板状部と前記第２板状部とを結合する第１結合部と、
を備える照明固定装置。
【請求項２】
第４穴部を有するとともに、前記第２板状部の前記第２領域の少なくとも１つの辺よりも長い辺を有するカバー部と、
前記第３穴部と前記第４穴部とを貫通し、前記第２板状部の前記第２領域と前記カバー部とを結合する第２結合部と、
をさらに備える請求項１に記載の照明固定装置。
【請求項３】
第５穴部を有するとともに、前記第２板状部の前記第２領域を延長する延長部と、
前記第３穴部と前記第５穴部とを貫通し、前記第２板状部の前記第２領域と前記延長部とを結合する第３結合部と、
をさらに備える請求項１又は２に記載の照明固定装置。
【請求項４】
壁面に固定されるとともに、照明が接続される照明装置であって、
照明を装着するソケットと、
第１穴部を有するとともに、前記ソケットを固定する第１板状部と、
第２穴部を有する第１領域と、第３穴部を有するとともに前記第１領域と垂直な方向の第２領域とを有する第２板状部と、
前記第１穴部と前記第２穴部とを貫通し、前記第１板状部と前記第２板状部とを結合する第１結合部と、
前記第２板状部を固定する、前記壁面と前記照明との間に設けられた照明装置本体部と、
を備える照明装置。
【請求項５】
壁面に固定されるとともに、照明が接続される照明装置を製造する方法であって、
第１穴部を有する第１板状部に、照明を装着するソケットを固定する工程と、
第２穴部を有する第１領域と、第３穴部を有するとともに前記第１領域と垂直な方向の第２領域とを有する第２板状部を前記第１板状部に重ねて、前記第１板状部と前記第２板状部との位置関係を調整する工程と、
前記位置関係が調整された後に、前記第１板状部と前記第２板状部とを結合する工程と、
前記壁面と前記照明との間に設けられる照明装置本体部に、前記第２板状部を固定する工程と、
を備える照明装置の製造方法。
【請求項６】
壁面に固定された照明装置に照明を接続するための照明接続方法であって、
照明を装着するソケットが固定されており、第１穴部を有する第１板状部を準備する工程と、
第２穴部を有する第１領域と、第３穴部を有するとともに前記第１領域と垂直な方向の第２領域とを有する第２板状部を前記第１板状部に重ねて、前記第１板状部と前記第２板状部との位置関係を調整する工程と、
前記位置関係が調整された後に、前記第１板状部と前記第２板状部とを結合する工程と、
前記壁面と前記照明との間に設けられる照明装置本体部に、前記第２板状部を固定する工程と、
を備える照明接続方法。
【発明の詳細な説明】
【技術分野】
【０００１】
本発明は、照明固定装置、照明装置、照明装置の製造方法及び照明接続方法に関する。
【背景技術】
【０００２】
蛍光灯照明やＬＥＤ照明を接続して点灯させることができる照明装置においては、照明の長さに応じた位置に、照明を接続するためのソケットが設けられている。照明装置のユーザは、照明を交換したい時に、ソケットから照明を取り外して、新しい照明をソケットに取り付けることができる。ソケットは、照明の交換を繰り返すことにより劣化するので、特許文献１に示されているように、ソケットを照明装置から取り外して新たなソケットに交換することができる照明装置が提案されている。
【先行技術文献】
【特許文献】
【０００３】
【特許文献１】特開２００７−１５７５５７号公報
【発明の概要】
【発明が解決しようとする課題】
【０００４】
図１２は、従来の照明装置２００の側面図を示す。照明装置２００は、照明装置本体部２１０とソケット部２２０とを備え、２つのソケット部２２０に照明３００が接続された状態で使用される。照明装置本体部２１０には、照明３００を点灯するための電源回路が設けられており、当該電源回路からソケット部２２０を経由して照明３００に電力が供給される。
【０００５】
ところで、ソケットは、照明装置２００のメーカーや種類ごとに形状が異なっており互換性がない場合がある。例えば、照明装置本体部２１０とソケット部２２０の先端との距離（図１２におけるＸ）は、照明装置２００のメーカーや種類によって異なる。また、ソケット部２２０における照明装置本体部２１０との接続部の形状も、照明装置２００の種類によって異なる。したがって、ソケット部２２０が劣化したにもかかわらず、使用している照明装置２００に使用可能なソケット部２２０を入手できない場合には、照明装置２００の全体を交換しなければならなかった。
【０００６】
また、ユーザが蛍光灯照明をＬＥＤ照明に変更したい場合においても、蛍光灯照明の口金の形状とＬＥＤ照明の口金の形状が異なると、照明装置本体部２１０を交換しなければならなかった。照明装置本体部２１０を交換すると、多額の費用を要するとともに、資源が浪費されるので好ましくない。
【０００７】
本発明は、以上の課題に鑑みてなされたものであり、照明装置の種類によらず、照明接続用のソケットを照明装置に接続できるようにすることを目的とする。
【課題を解決するための手段】
【０００８】
本発明の第１の態様においては、照明装置に照明を固定する照明固定装置であって、照明を接続する接続端子を有するソケットと、第１穴部を有するとともに、ソケットを固定する第１板状部と、第２穴部を有する第１領域、及び第３穴部を有しかつ第１領域と垂直な方向の第２領域を有する第２板状部と、第１穴部と第２穴部とを貫通し、第１板状部と第２板状部とを結合する第１結合部と、を備える照明固定装置を提供する。
【０００９】
上記の照明固定装置は、第４穴部を有するとともに、第２板状部の第２領域の少なくとも１つの辺よりも長い辺を有するカバー部と、第３穴部と第４穴部とを貫通し、第２板状部の第２領域とカバー部とを結合する第２結合部と、をさらに備えてもよい。また、上記の照明固定装置は、第５穴部を有するとともに、第２板状部の第２領域を延長する延長部と、第３穴部と第５穴部とを貫通し、第２板状部の第２領域と延長部とを結合する第３結合部とをさらに備えてもよい。
【００１０】
本発明の第２の態様においては、壁面に固定されるとともに、照明が接続される照明装置であって、照明を装着するソケットと、第１穴部を有するとともに、ソケットを固定する第１板状部と、第２穴部を有する第１領域と、第３穴部を有するとともに第１領域と垂直な方向の第２領域とを有する第２板状部と、第１穴部と第２穴部とを貫通し、第１板状部と第２板状部とを結合する第１結合部と、第２板状部を固定する、壁面と照明との間に設けられた照明装置本体部と、を備える照明装置を提供する。
【００１１】
本発明の第３の態様においては、壁面に固定されるとともに、照明が接続される照明装置を製造する方法であって、第１穴部を有する第１板状部に、照明を装着するソケットを固定する工程と、第２穴部を有する第１領域と、第３穴部を有するとともに第１領域と垂直な方向の第２領域とを有する第２板状部を第１板状部に重ねて、第１板状部と第２板状部との位置関係を調整する工程と、位置関係が調整された後に、第１板状部と第２板状部とを結合する工程と、壁面と照明との間に設けられる照明装置本体部に、第２板状部を固定する工程と、を備える照明装置の製造方法を提供する。
【００１２】
本発明の第４の態様においては、壁面に固定された照明装置に照明を接続するための照明接続方法であって、照明を装着するソケットが固定されており、第１穴部を有する第１板状部を準備する工程と、第２穴部を有する第１領域と、第３穴部を有するとともに第１領域と垂直な方向の第２領域とを有する第２板状部を第１板状部に重ねて、第１板状部と第２板状部との位置関係を調整する工程と、位置関係が調整された後に、第１板状部と第２板状部とを結合する工程と、壁面と照明との間に設けられる照明装置本体部に、第２板状部を固定する工程と、を備える照明接続方法を提供する。
【発明の効果】
【００１３】
本発明によれば、照明装置の種類によらず、照明接続用のソケットを照明装置に接続できる。
【図面の簡単な説明】
【００１４】
【図１】第１の実施形態に係る照明装置の側面図を示す。
【図２】第１の実施形態に係る照明固定装置の断面図を示す。
【図３】第１の実施形態に係る照明固定装置の正面図を示す。
【図４】第１板状部の正面図を示す。
【図５】第２板状部の斜視図を示す。
【図６】第１の実施形態に係る照明装置の側面図を示す。
【図７】照明固定装置が照明装置本体部に接続された状態における照明装置本体部の一部及び照明固定装置の断面図を示す。
【図８】第２の実施形態に係る照明固定装置の断面図を示す。
【図９】ソケットの位置から見た開口の周辺部を示す。
【図１０】第３の実施形態に係る照明固定装置の断面図を示す。
【図１１】第４の実施形態に係る第１板状部の形状を示す。
【図１２】従来の照明装置の側面図を示す。
【発明を実施するための形態】
【００１５】
＜第１の実施形態＞
図１は、第１の実施形態に係る照明装置１００の側面図を示す。照明装置１００は、照明装置本体部１１０と複数の照明固定装置１０とを備える。照明装置本体部１１０は、照明装置１００が固定される壁面と照明１２０との間に設けられており、照明固定装置１０が接続されている。照明固定装置１０における壁面から最も遠い部位の位置と、照明装置本体部１１０における壁面から最も遠い部位の位置との距離（図２におけるＸ）は、調整可能である。ここで、本明細書における「壁面」は、鉛直方向の壁の面だけではなく、天井面のように、鉛直方向以外の面も含む。
【００１６】
図２は、第１の実施形態に係る照明固定装置１０の断面図を示す。図３は、第１の実施形態に係る照明固定装置１０の正面図を示す。照明固定装置１０は、ソケット１、第１板状部２、第２板状部３、第１結合部４及びケーブル５を備える。
【００１７】
ソケット１は、照明１２０を装着する装着部１１と、照明１２０の端子を接続する接続端子１２とを有する。装着部１１は弾性部材を有しており、照明装置１００の長手方向の圧力を受けることにより第１板状部２の向きに移動し、当該圧力が除去されることにより、対向する照明固定装置１０の向きに移動する。接続端子１２は、ケーブル５に接続されている。ソケット１は、ケーブル５を介して供給される電力を、接続端子１２を介して照明１２０に供給する。照明１２０は、例えば、直管型の蛍光灯照明又はＬＥＤ照明である。
【００１８】
第１板状部２は、複数の第１穴部２１を有するとともに、ソケット１を固定する。第１板状部２は、例えば、短辺がソケット１の直径よりも小さい長方形の板である。第１穴部２１は、少なくとも第１結合部４を挿入できる大きさであり、例えば、円形、長円形、楕円形又は長方形である。第１板状部２は、例えばアルミニウムのような金属である。第１板状部２は、樹脂により形成されていてもよい。
【００１９】
第２板状部３は、第１領域３３と、第１領域３３と垂直な方向の第２領域３４とを有するＬ字状の板である。第１領域３３には、複数の第２穴部３１が形成されている。第２領域３４には、複数の第３穴部３２が形成されている。第１領域３３及び第２領域３４は、例えば、短辺の長さが第１板状部２の短辺の長さと等しい長方形である。図３に示すように、第１領域３３は、少なくとも一部の領域が、第１板状部２の少なくとも一部の領域と重なっている。具体的には、少なくとも１つの第１穴部２１と少なくとも１つの第２穴部３１とが重なった状態で、第１板状部２と第２板状部３とが第１結合部４により結合されている。第２板状部３は、例えばアルミニウムのような金属である。第２板状部３は、樹脂により形成されていてもよい。
【００２０】
第１結合部４は、第１穴部２１と第２穴部３１とを貫通し、第１板状部２と第２板状部３とを結合する。第１結合部４は、例えばネジである。第１結合部４は、第１穴部２１と第２穴部３１とが重なった状態で第１穴部２１及び第２穴部３１を貫通し、第１板状部２と第２板状部３とを共締めしている。なお、図２においてはネジの形状の第１結合部４を示しているが、第１結合部４がボルト及びナットから構成され、第１穴部２１と第２穴部３１とを貫通したボルトが、ナットにより固定されていてもよい。
【００２１】
ケーブル５は、照明装置本体部１１０に設けられている電源部（不図示）とソケット１とを接続する。電源部が出力する電力は、ケーブル５及びソケット１を介して照明１２０に供給される。
【００２２】
図４は、第１板状部２の正面図を示す。第１板状部２には、複数の第１穴部２１が等間隔に形成されている。また、第１板状部２には、ソケット１を固定するためのネジが挿入される複数の穴２２が形成されている。
図５は、第２板状部３の斜視図を示す。第２板状部３の第１領域３３には複数の第２穴部３１が等間隔に形成されており、第２板状部３の第２領域３４には複数の第３穴部３２が等間隔に形成されている。
【００２３】
図６は、第１の実施形態に係る照明装置１００の側面図を示す。図６に示す照明装置１００においては、第１板状部２と第２板状部３とが結合された位置が、図２に示した照明装置１００と異なる。具体的には、図２に示した照明装置１００においては、第１板状部２及び第２板状部３の先端に近い２個の第１穴部２１と２個の第２穴部３１とが重なった状態で、第１板状部２と第２板状部３とが結合されていた。これに対して、図６に示す照明装置１００においては、第１板状部２及び第２板状部３の先端に近い１個の第１穴部２１と１個の第２穴部３１とが重なった状態で、第１板状部２と第２板状部３とが結合されている。
【００２４】
その結果、図６に示した照明装置１００における第２領域３４からソケット１までの距離が、図２に示した照明装置１００における第２領域３４からソケット１までの距離よりも大きい。第１板状部２及び第２板状部３が複数の第１穴部２１及び複数の第２穴部３１を有するので、複数の第２穴部３１のうち、第１穴部２１が重なる第２穴部３１を変更することにより、第３穴部３２からソケット１までの距離を変化させることができる。
【００２５】
図７は、照明固定装置１０が照明装置本体部１１０に接続された状態における照明装置本体部１１０の一部及び照明固定装置１０の断面図を示す。図７に示した照明装置１００の第２領域３４は、第２結合部６によって照明装置本体部１１０に結合されている。第２結合部６は、例えばネジである。
【００２６】
照明固定装置１０は、以下の手順により、照明装置本体部１１０に固定させることができる。まず、照明装置本体部１１０に、少なくとも第２板状部３及びケーブル５を挿入できる大きさの開口１１１を形成する。次に、当該開口１１１に第２板状部３及びケーブル５を挿入する。続いて、第２板状部３を照明装置本体部１１０に密着させた状態で、第２穴部３１の位置に第２結合部６を挿入することにより、第２板状部３と照明装置本体部１１０とを共締めする。このようにして照明装置本体部１１０に照明固定装置１０を固定した後に、照明１２０をソケット１に装着することにより、照明１２０を照明装置１００に取り付けることができる。なお、予め、照明装置本体部１１０に、第２穴部３１と同じ間隔で複数の穴を形成しておいて、第２穴部３１の位置と照明装置本体部１１０に形成した穴とを重ねた状態で第２結合部６により共締めしてもよい。
【００２７】
［第１の実施形態における効果］
以上のとおり、第１の実施形態に係る照明固定装置１０によれば、照明１２０を装着するためのソケット１と、複数の第１穴部２１を有する第１板状部２と、複数の第２穴部３１を有する第１領域３３と、第３穴部３２を有しかつ第１領域３３と垂直な方向の第２領域３４とを有するＬ字状の第２板状部３と、第１穴部２１と第２穴部３１とを貫通し、第１板状部２と第２板状部３とを結合する第１結合部４とを備えているので、第１結合部４によって互いに結合される第１穴部２１と第２穴部３１とを選択することにより、第２領域３４とソケット１との距離を変化させることができる。したがって、照明装置１００に設けられていたソケットを交換する場合に、照明装置本体部１１０の位置に対するソケット１の位置を、交換前のソケットと同じ位置に調整することができる。
【００２８】
このように、照明固定装置１０を用いることにより、ソケット１の位置を自在に調整できるので、照明装置１００のユーザは、使用するソケット１の種類を容易に変更することができるという効果を奏する。例えば、ユーザが、Ｇ１３規格に準拠した口金の蛍光灯照明をＪＥＬ８０１規格に準拠した口金のＬＥＤ照明に変更したい場合に、Ｇ１３用ソケットの形状とＪＥＬ８０１用ソケットの形状とが異なっていても、照明装置１００の本体を交換することなく、ＪＥＬ８０１用ソケットが設けられた照明固定装置１０を用いることにより、ＪＥＬ８０１規格に準拠した口金のＬＥＤ照明に変更することができる。
【００２９】
＜第２の実施形態＞
［開口を塞ぐカバー部７を備える］
図８は、照明装置本体部１１０に固定された状態の第２の実施形態に係る照明固定装置２０の断面図を示す。図８に示す照明固定装置２０は、カバー部７をさらに有する点で図７に示した照明固定装置１０と異なる。また、図８に示した照明装置本体部１１０には、図７に示した照明装置本体部１１０に形成されていた開口１１１よりも大きな開口１１２が形成されている。
【００３０】
カバー部７は、第４穴部（不図示）を有するとともに、第２板状部３の第２領域の少なくとも１つの辺よりも長い辺を有する。例えば、カバー部７は、開口１１２を覆うことができる大きさである。カバー部７の少なくとも１つの面は、照明装置本体部１１０における照明１２０側の色と同じ色であることが好ましい。
第２結合部６は、照明装置本体部１１０と、第３穴部３２と、第４穴部とを貫通し、第２板状部３の第２領域３４とカバー部７とを結合するとともに、カバー部７と照明装置本体部１１０とを結合する。
【００３１】
図９は、ソケット１の位置から見た開口１１２の周辺部を示す。開口１１２を覆うようにカバー部７が設けられているので、開口１１２が大きい場合であっても、第２板状部３の第２領域３４が見えない状態になり、見栄えがよい。また、開口１１２がカバー部７によって覆われるので、照明装置１００の電源部に異物が入ることも防止できる。したがって、大きな開口１１２を形成できるので、照明固定装置２０を照明装置本体部１１０に固定する作業をしやすくなる。
【００３２】
図８に示した照明固定装置２０は、以下の手順で製造し、照明装置本体部１１０に固定することができる。まず、第１板状部２に、ソケット１を固定する。次に、第２板状部３を第１板状部２に重ねて、第１板状部２と第２板状部３との位置関係を調整する。続いて、位置関係が調整された後に、第１板状部２と第２板状部３とを結合する。続いて、ソケット１、第１板状部２及び第２板状部３が結合された状態で、照明装置本体部１１０に形成されている開口１１２に、第２板状部３の第２領域３４を挿入する。照明装置本体部１１０を壁面から取り外した状態で、開口１１２に、照明装置本体部１１０の壁面側から、ソケット１及び第１板状部２を挿入してもよい。
【００３３】
続いて、第２板状部３の第２領域３４と照明装置本体部１１０との間にカバー部７を挟み、開口１１２の隙間ができるだけ小さくなるようにカバー部７の位置を調整する。カバー部７の位置を調整した後で、第２結合部６によって照明装置本体部１１０、カバー部７及び第２板状部３を共締めして、照明装置本体部１１０に第２板状部３を固定する。
【００３４】
なお、カバー部７における照明装置本体部１１０と接する面に接着テープが設けられており、カバー部７の位置を調整した後で、第２結合部６によって共締めする前に、接着テープによりカバー部７と照明装置本体部１１０とを仮留めしてもよい。
また、上記の説明においては、ソケット１、第１板状部２及び第２板状部３を結合した後で、カバー部７及び第２板状部３を照明装置本体部１１０に固定する場合について説明したが、カバー部７及び第２板状部３を照明装置本体部１１０に固定した後で、第２板状部３の第２穴部３１に第１板状部２を接続するとともに、第１板状部２にソケット１を接続してもよい。
【００３５】
［第２の実施形態における効果］
以上のとおり、第２の実施形態に係る照明固定装置２０によれば、照明装置本体部１１０に大きな開口１１２が形成されている場合であっても、第２板状部３の第２領域３４が見えないので、照明装置本体部１１０に予め設けられていたソケットを装着した場合と同等の美感を与えることができるとともに、電気的な安全性を向上することができるという効果を奏する。さらに、照明固定装置２０を照明装置本体部１１０に固定する作業効率が向上するという効果も奏する。
【００３６】
＜第３の実施形態＞
［水平方向の位置を調整可能にする］
図１０は、照明装置本体部１１０に固定された状態の第３の実施形態に係る照明固定装置３０の断面図を示す。照明固定装置３０は、延長部８を有する点で図８に示した照明固定装置２０と異なり、他の点で同じである。また、図１０に示した照明装置本体部１１０に形成された開口１１３は、図８に示した開口１１２よりも大きく、照明装置本体部１１０の長手方向における開口１１３の長さは、第２板状部３の第２領域３４の長さよりも大きい。また、照明固定装置３０と照明装置本体部１１０とは、第４結合部９によって結合されている。
【００３７】
延長部８は、複数の第５穴部８１を有し、第２板状部３の第２領域３４を延長する。第２板状部３の第２領域３４の長さと延長部８の長手方向の長さとを合わせた長さは、照明装置本体部１１０の長手方向における開口１１２の長さよりも大きい。本実施形態における第２結合部６は、カバー部７、延長部８及び第２板状部３を貫通して共締めしている。具体的には、第２結合部６は、カバー部７に形成された第４穴部と、延長部８に形成された第５穴部と、第２板状部３に形成された第３穴部３２とを貫通している。すなわち、第２結合部６は、延長部８と第２板状部３とを結合する第３結合部としても機能している。
【００３８】
第４結合部９は、例えばネジである。第４結合部９は、少なくとも照明装置本体部１１０と第５穴部とを貫通し、照明装置本体部１１０と延長部８とを結合する。図１０に示すように、第４結合部９は、照明装置本体部１１０と、カバー部７と、延長部８とを結合してもよい。
【００３９】
図１０に示した照明固定装置３０は、以下の手順で製造し、照明装置本体部１１０に固定することができる。まず、第１板状部２に、ソケット１を固定する。次に、第２板状部３を第１板状部２に重ねて、第１板状部２と第２板状部３との位置関係を調整する。続いて、位置関係が調整された位置において、第１板状部２と第２板状部３とを結合する。続いて、ソケット１、第１板状部２及び第２板状部３が結合された状態で、照明装置本体部１１０に形成されている開口１１２に、第２板状部３の第２領域３４を挿入する。第２の実施形態と同様に、照明装置本体部１１０を壁面から取り外した状態で、開口１１２に、照明装置本体部１１０の壁面側から、ソケット１及び第１板状部２を挿入してもよい。
【００４０】
続いて、照明装置本体部１１０と第２板状部３の第２領域３４との間に延長部８を挟み、延長部８を照明装置本体部１１０の長手方向に移動させながら、位置を調整する。延長部８における第２板状部３に接する面の少なくとも一部に接着テープが設けられており、延長部８の位置を調整した状態で、接着テープによって仮留めしてもよい。
【００４１】
続いて、照明装置本体部１１０と延長部８との間にカバー部７を挟み、開口１１２の隙間ができるだけ小さくなるようにカバー部７の位置を調整する。カバー部７の位置を調整した後で、第２結合部６によって、カバー部７、延長部８及び第２板状部３を共締めする。続いて、第４結合部９によって照明装置本体部１１０、カバー部７及び延長部８を共締めして、照明装置本体部１１０にカバー部７及び延長部８を固定する。第４結合部９によって共締めした後に、第２結合部６によって共締めしてもよい。
【００４２】
なお、カバー部７における照明装置本体部１１０と接する面に接着テープが設けられており、カバー部７の位置を調整した後で、第４結合部９によって照明装置本体部１１０、カバー部７及び延長部８を共締めする前に、接着テープによりカバー部７と照明装置本体部１１０とを仮留めしてもよい。
また、上記の説明においては、ソケット１、第１板状部２及び第２板状部３を結合した後で、カバー部７及び延長部８を照明装置本体部１１０に固定する場合について説明したが、カバー部７及び延長部８を照明装置本体部１１０に固定した後で、第２板状部３の第２穴部３１に第１板状部２を接続するとともに、第１板状部２にソケット１を接続してもよい。
【００４３】
［第３の実施形態における効果］
以上のとおり、第３の実施形態に係る照明固定装置３０によれば、第２板状部３と共締めされた延長部８が設けられているので、照明装置本体部１１０の長手方向における照明固定装置３０の長さを調整することができる。したがって、照明装置本体部１１０に、第２板状部３の長さよりも大きな開口１１２が形成されている場合であっても、照明装置本体部１１０に照明固定装置３０を固定させることができる。また、第２板状部３の第２領域３４及び延長部８には複数の穴が形成されており、照明装置本体部１１０の長手方向におけるソケット１の位置を自在に調整することができるという効果を奏する。
【００４４】
＜第４の実施形態＞
図１１は、第４の実施形態に係る第１板状部２の形状を示す。図１１に示した第１板状部２に形成されている第１穴部２１は、長方形である点で、図４に示した第１板状部２に形成されている第１穴部２１の形状と異なる。本実施形態に係る第２板状部３に形成されている第２穴部３１及び第３穴部３２も、図１１に示した第１穴部２１と同様の形状である。
【００４５】
第１穴部２１、第２穴部３１及び第３穴部３２が長方形である本実施形態においては、第１板状部２及び第２板状部３は、例えばボルト及び六角ナットにより結合される。第１穴部２１、第２穴部３１及び第３穴部３２の短手方向の長さは、ボルトの軸の直径よりも大きく、かつ、六角ナットの対向する辺の間の長さよりも小さい。第１板状部２と第２板状部３とを重ねた状態で、ボルトの軸を第１穴部２１及び第２穴部３１に挿入し、六角ナットで締め付けることにより、第１板状部２と第２板状部３とを任意の位置で結合させることができる。
同様に、延長部８に形成された第５穴部８１も、図１１に示した第１穴部２１の形状と同様の形状であってもよい。
【００４６】
なお、第１穴部２１、第２穴部３１、第３穴部３２及び第５穴部８１の形状は、図１１に示した形状に限らない。長円形又は楕円形の複数の第１穴部２１、第２穴部３１、第３穴部３２及び第５穴部８１が、第１板状部２、第２板状部３及び延長部８に設けられていてもよい。
【００４７】
［第４の実施形態における効果］
以上のとおり、第４の実施形態に係る照明固定装置１０、照明固定装置２０及び照明固定装置３０によれば、第１板状部２、第２板状部３及び延長部８に形成されている第１穴部２１、第２穴部３１、第３穴部３２及び第５穴部８１の形状が、これらを結合する結合部材の軸の直径よりも大きいので、第１板状部２と第２板状部３とを結合する位置、及び、第２板状部３と延長部８とを結合する位置を調整する自由度を向上させることができるという効果を奏する。
【００４８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。例えば、上記の実施形態において、照明１２０は直管型照明である例について説明したが、照明１２０の形状は、その他の形状であってもよい。また、第３の実施形態においては、照明固定装置３０がカバー部７と延長部８とを備える構成について説明したが、照明固定装置３０は、カバー部７を備えることなく延長部８を備えてもよい。
【符号の説明】
【００４９】
１・・・ソケット、２・・・第１板状部、３・・・第２板状部、４・・・第１結合部、５・・・ケーブル、６・・・第２結合部、７・・・カバー部、８・・・延長部、９・・・第４結合部、１０・・・照明固定装置、１１・・・装着部、１２・・・接続端子、２０・・・照明固定装置、２１・・・第１穴部、２２・・・穴、３０・・・照明固定装置、３１・・・第２穴部、３２・・・第３穴部、３３・・・第１領域、３４・・・第２領域、１００・・・照明装置、１１０・・・照明装置本体部、１１１・・・開口、１１２・・・開口、１１３・・・開口、１２０・・・照明、２００・・・照明装置、２１０・・・本体部、２２０・・・ソケット部、３００・・・照明
【図１】
2014137855.tif 000003
【図２】
2014137855.tif 000004
【図３】
2014137855.tif 000005
【図４】
2014137855.tif 000006
【図５】
2014137855.tif 000007
【図６】
2014137855.tif 000008
【図７】
2014137855.tif 000009
【図８】
2014137855.tif 000010
【図９】
2014137855.tif 000011
【図１０】
2014137855.tif 000012
【図１１】
2014137855.tif 000013
【図１２】
2014137855.tif 000014